(57)【要約】【課題】近年、衛生洗浄装置の便座に補助便座を設置して使用する機会が増加している。しかし、衛生洗浄装置の便座に補助便座を設置して衛生洗浄装置を使うと洗浄箇所が局部からズレてしまい、洗浄水が補助便座に座った人の臀部や衣服を濡らしてしまうなど、使い勝手が悪くなっていた。【解決手段】便座と、前記便座を支持する本体部と、前記便座上に着脱可能に設置される補助便座を有するトイレ装置において、前記補助便座は前記補助便座の情報を記録した便座情報記録手段を備え、前記トイレ装置は前記補助便座を前記便座上に設置した状態で便座情報記録手段の情報を読み取る便座情報読取手段を備えると共に、前記便座情報読取手段が読み取った情報に基づいて前記トイレ装置の制御動作を設定する制御動作設定手段を備えたことで、補助便座を使っても使用者にとって最適な制御を行うことが出来る。【選択図】　図３
2004113711.tif 000002
【特許請求の範囲】
【請求項１】
便座と、前記便座を支持する本体部と、前記便座上に着脱可能に設置される補助便座を有するトイレ装置において、前記補助便座は前記補助便座の情報を記録した便座情報記録手段を備え、前記トイレ装置は前記補助便座を前記便座上に設置した状態で便座情報記録手段の情報を読み取る便座情報読取手段を備えると共に、前記便座情報読取手段が読み取った情報に基づいて前記トイレ装置の制御動作を設定する制御動作設定手段を備えたことを特徴とするトイレ装置。
【請求項２】
請求項１において、前記便座情報読取手段と前記制御動作設定手段を前記本体部内に設け、便座内の前記便座情報記録手段から非接触で読取ることを特徴とするトイレ装置。
【請求項３】
請求項１において、便座は内部にヒータ備え、前記本体部から前記便座に電力を供給する便座コードを前記本体部と前記便座の間に備え、前記便座情報読取手段は前記便座内に設け、前記便座情報読取手段が読み取った情報は前記便座コードを通じて本体部内に設けた制御動作設定手段へ送信されることを特徴とするトイレ装置。
【請求項４】
請求項１乃至３に記載のトイレ装置において、本体部は人体局部を洗浄するための洗浄水を供給する洗浄水供給手段と、局部洗浄時に伸出して洗浄水を噴出し得るノズル部と、前記洗浄水供給手段及び前記ノズル部を制御する制御部とを有し、前記制御部は局部洗浄時に前記便座情報読取手段が読み取った情報に基づいてノズル部の伸出距離を制御して洗浄位置を設定することを特徴とするトイレ装置。
【請求項５】
請求項１請求項４に記載のトイレ装置において、本体部は人体局部を洗浄するための洗浄水を供給する洗浄水供給手段と、局部洗浄時に伸出して洗浄水を噴出するノズル部と、前記ノズル部の先端に設けられた噴出孔部と、前記洗浄水供給手段等を制御する制御部を備え、前記噴出孔部は洗浄水が噴出する吐水角を変更する吐水角度調節手段を備え、前記制御部は局部洗浄時に前記便座情報読取手段が読み取った情報に基づいて前記吐水角度調節手段を制御して洗浄位置を設定することを特徴とするトイレ装置。
【請求項６】
請求項１乃至３に記載のトイレ装置において、前記便座近傍から赤外光を投光し反射してくる赤外光に基づいて人体の有無を検知する人体検知部と、前記人体検知部を制御する制御部を備え、前記制御部は前記便座情報読取手段が読み取った情報に基づいて前記人体検知部が投光する方向を設定することを特徴とするトイレ装置。
【請求項７】
請求項１乃至３に記載のトイレ装置において、便座は内部にヒータを備え、本体部は前記ヒータを制御する制御部を備え、前記制御部は前記便座情報読取手段が読み取った情報に基づいて前記ヒータへ通電する電流を制御することを特徴とするトイレ装置。
【発明の詳細な説明】
【０００１】
【発明の属する技術分野】
本発明は便座上に設置して着座面の高さ及び便座開口部の大きさを調節可能な補助便座を用いたトイレ装置に関する。
【０００２】
【従来の技術】
洋式トイレの便器の上面には便座が設置されているが、この便座は多くの場合、成人の体型に合わせた内縁部の形状になっていたり、健常者が使いやすい便座の高さになっている。従って、高齢者や子供といった平均的な成人に比べて臀部が小さい人が洋式トイレの便座に座った場合に臀部が落ち込んでしまったり、足腰が健常者に比べて丈夫でない人が洋式トイレに立ち座りする際に足腰にかかる負担が大きい、といった問題があった。このような問題を解消するために便座の上に設置して便座の開口部の大きさや高さを調節するようにした補助便座が広く用いられている（例えば、特許文献１参照。）。
【０００３】
一方、近年、用便後に適温の洗浄水をノズルから人体局部に噴出して局部を洗浄する衛生洗浄装置が急速に普及してきており、高齢者や子供といった人が衛生洗浄装置の便座に前記補助便座を設置して使用する機会が増加してきている。
【０００４】
【特許文献１】
特開２００１−１６１６００号公報（第１−３頁、第１−４図、第８−９図）
【０００５】
【発明が解決しようとする課題】
しかし、ほとんどの衛生洗浄装置は前記補助便座を設置しない状態で一般的な成人が座った場合に最も使いやすいように設計されている。そのため、高齢者や子供といった人が前記補助便座に座って衛生洗浄装置を使おうとした場合に使い勝手が非常に悪くなるといった問題を抱えていた。例えば、衛生洗浄装置の便座に補助便座を設置して使用者がその上に座ると使用者の局部の位置が衛生洗浄装置の便座に座った時の位置とは異なってくる。従って、補助便座に座った人が衛生洗浄装置を使うと洗浄箇所が局部からズレてしまい、洗浄水が補助便座に座った人の局部以外の場所を目掛けて噴出して臀部や脚部或いは衣服など局部以外の濡れて欲しくない部分を濡らしてしまうという問題がある。
【０００６】
また、近年の衛生洗浄装置においては使用者が便座に座っていない状態で洗浄開始のスイッチが押されても洗浄水が噴出してトイレ室内を濡らしてしまうことのないよう使用者が着座している時のみ洗浄可能としたり、節電のため便座に座っている間だけ脱臭機能が作動するよう、使用者が着座していることを検出する着座センサを設けているものが多く見られる。この着座センサは衛生洗浄装置の本体部の便座近傍より便器使用者の臀部に向けて赤外光を投光し、その反射光の受光に基づいて便器使用者の着座の有無を検知する方式のものが特に多く採用されている。このような着座センサを有する衛生洗浄装置おいて、その便座に高さ（厚さ）の有る補助便座を設置すると、着座センサの赤外光が補助便座に当たり、補助便座を誤検知してしまうことになる。その結果、衛生洗浄装置は便器使用者が実際には着座していないのに着座していると誤まって判断してしまうため、便器使用者が着座していないにも関わらず洗浄開始スイッチが押されると洗浄水が噴出したり、脱臭機能が作動してしまったりといった誤動作をしてしまう問題もあった。
【０００７】
更に、ヒータ付きの便座の上に補助便座を設置した場合、使用者は補助便座に座るため、ヒータ付き便座に座られることがないにも関わらずヒータ付き便座に通電されることで電気を無駄に使ってしまうといった問題があった。また、ヒータ付き便座によって補助便座が加熱されて補助便座の材質が変性したり、劣化するといった問題も抱えていた。
【０００８】
本発明は、上記課題を解決するためになされたもので、トイレ装置に補助便座を設置して使用しても補助便座を設置しない時と同様に使い勝手が良いトイレ装置を提供することにある。
【０００９】
【課題を解決するための手段】
上記課題を解決するために請求項１は、便座と、前記便座を支持する本体部と、前記便座上に着脱可能に設置される補助便座を有するトイレ装置において、前記補助便座は前記補助便座の情報を記録した便座情報記録手段を備え、前記トイレ装置は前記補助便座を前記便座上に設置した状態で便座情報記録手段の情報を読み取る便座情報読取手段を備えると共に、前記便座情報読取手段が読み取った情報に基づいて前記トイレ装置の制御動作を設定する制御動作設定手段を備えたことを特徴としている。
こうすることで、使用者がトイレ装置の便座上に補助便座を設置して用を足すような場合、トイレ装置は設置された補助便座に関する情報を何の操作も行うことなく自動的に入力することが出来る。従って、トイレ装置は常にどのような補助便座が使われようとしているのか判断出来るため、使用者が補助便座を介してトイレ装置に座ったとしても、使用される各補助便座に対して最適な制御を自動で行うことが出来る。その結果、補助便座を使用する使用者にとって非常に使い勝手の良いトイレ装置を提供することが可能となる。
【００１０】
上記課題を解決するために請求項２は、請求項１において、前記便座情報読取手段と前記制御動作設定手段を前記本体部内に設け、便座内の前記便座情報記録手段から非接触で読取ることを特徴としている。
こうすることで、トイレ装置は設置された補助便座に関する情報をトイレ装置の外部へ露出した電線を用いることなくトイレ装置の本体部へ伝達することが可能となる。従って、トイレ装置をすっきりさせることが出来、使用者によってトイレ室内を広く感じさせることが出来ると共に、掃除の際などに電線が邪魔になることもない。
【００１１】
上記課題を解決するために請求項３は、請求項１において、便座は内部にヒータ備え、前記本体部から前記便座に電力を供給する便座コードを前記本体部と前記便座の間に備え、前記便座情報読取手段は前記便座内に設け、前記便座情報読取手段が読み取った情報は前記便座コードを通じて本体部内に設けた制御動作設定手段へ送信されることを特徴としている。
こうすることで、前記本体部と前記補助便座が密接していなくても、便座情報記録手段に記録した情報を制御動作設定手段へ伝達することが可能となるため、前記本体部と前記補助便座の形状に関わらず、補助便座に関する情報トイレ装置の本体部へ伝達することが出来る。更に、情報の送信は前記便座コードを使用するので、トイレ装置の外部へ露出した電線を増加させることもない。
【００１２】
上記課題を解決するために請求項４は、請求項１乃至３に記載のトイレ装置において、本体部は人体局部を洗浄するための洗浄水を供給する洗浄水供給手段と、局部洗浄時に伸出して洗浄水を噴出し得るノズル部と、前記洗浄水供給手段及び前記ノズル部を制御する制御部とを有し、前記制御部は局部洗浄時に前記便座情報読取手段が読み取った情報に基づいてノズル部の伸出距離を制御して洗浄位置を設定することを特徴としている。
こうすることで、補助便座を介して座った使用者がトイレ装置を使った場合でも、洗浄水が使用者の局部からズレることがない。従って、補助便座を使っても洗浄水が臀部や衣服或いは便座など局部以外の濡れて欲しくない部分を濡らしてしまうことがなく、補助便座を介して座る使用者にとって、非常に快適な局部洗浄を行うことが可能となる。
【００１３】
上記課題を解決するために請求項５は、請求項１請求項４に記載のトイレ装置において、本体部は人体局部を洗浄するための洗浄水を供給する洗浄水供給手段と、局部洗浄時に伸出して洗浄水を噴出するノズル部と、前記ノズル部の先端に設けられた噴出孔部と、前記洗浄水供給手段等を制御する制御部を備え、前記噴出孔部は洗浄水が噴出する吐水角を変更する吐水角度調節手段を備え、前記制御部は局部洗浄時に前記便座情報読取手段が読み取った情報に基づいて前記吐水角度調節手段を制御して洗浄位置を設定することを特徴としている。
こうすることで、便座上に設置した補助便座の形状に寄らず常に座った使用者の局部に洗浄水を噴出させることが出来るため、様々な形状の補助便座にも広く対応することが可能となる。
【００１４】
上記課題を解決するために請求項６は、請求項１乃至３に記載のトイレ装置において、前記便座近傍から赤外光を投光し反射してくる赤外光に基づいて人体の有無を検知する人体検知部と、前記人体検知部を制御する制御部を備え、前記制御部は前記便座情報読取手段が読み取った情報に基づいて前記人体検知部が投光する方向を設定することを特徴としている。
こうすることで、便座上に補助便座を設置しても、前記人体検知部の検知領域が前記補助便座と干渉することを防止でき、前記人体検知部が補助便座を人体と誤検知してトイレ装置が使用者の想定外の動作を行うことを防ぐことが可能となる。
【００１５】
上記課題を解決するために請求項７は、請求項１乃至３に記載のトイレ装置において、便座は内部にヒータを備え、本体部は前記ヒータを制御する制御部を備え、前記制御部は前記便座情報読取手段が読み取った情報に基づいて前記ヒータへ通電する電流を制御することを特徴としている。
こうすることで、ヒータで消費される電力を抑えて節電することが可能となる。更に、補助便座をトイレ装置の便座上に設置した場合、使用者がトイレ装置の便座に直接座ることはないため、便座内のヒータへの通電量を制御しても使い勝手を損ねることはない。また、同時に補助便座に対する便座内のヒータから放出される熱の影響を低減することもでき、補助便座の材料の変性や劣化を防止することも可能である。
【００１６】
【発明の実施の形態】
以下、本発明の構成・作用を明らかにするために、本発明の好適な実施例を図面に基づいて説明する。図１は本発明を採用した衛生洗浄装置の全体的な斜視図である。図２はリモコン操作部であって、リモコン操作部５１にはおしり洗浄などの洗浄機能の開始を指示する洗浄スイッチ５２ａ〜５２ｃ、温風乾燥の開始を指示する温風スイッチ５２ｄ、前記洗浄機能や温風機能の停止を指示する停止スイッチｅ、洗浄水や温風の温度、強さの設定を指示する調節スイッチ５２ｆ〜５２ｋ及び各スイッチの操作に応じて赤外線信号を送信する送信部５３を備えている。
【００１７】
衛生洗浄装置１の本体部２の上部コーナー部には、リモコン操作部５１から送信された赤外線信号を受信する受信部３３が設けられている。受信部３３で受信された信号は図３に示しているように本体部２の内部に収容された制御部３１送られ、衛生洗浄装置１は信号に対応した所定の動作を行なうよう制御される。
【００１８】
更に、本体部２には平均的な成人の健常者が使いやすい形状、高さの一般便座３と便蓋４が図示しない軸によって回動自在に支持されており、その一般便座３と便蓋４の回動部５の間には便器使用者の着座の有無を検知するための着座センサ８が設けられている。着座センサ８は図４に示すように本体部２の前方に赤外光を発光し、その反射光の受光に基づいて便器使用者の着座の有無を検知するものとなっており、その検知結果は制御部３１へ送られる（図３参照）。着座センサ８が着座を検知している時、制御部３１はリモコン操作部５１から送信された洗浄機能の信号を受付け、おしり洗浄など押された操作スイッチに対応して本体部２の内部に設けたノズル１０やノズル駆動モータ１３、電磁弁１４、流量調節手段１１などを有する洗浄装置３２を制御し、ノズル１０の先端から局部へ洗浄水を噴出させて所定の洗浄動作を行なう（図５参照）。一方、着座を検知していない時は洗浄スイッチ５２ａ〜５２ｃが押されても、制御部３１はその信号を受付けず、各種の洗浄動作は行なわない。また、図６に示すように一般便座３の内部には便座ヒータ２６と便座サーミスタ２７が備えられており、便座ヒータ２６と便座サーミスタ２７は便座コード２８を介して制御部３１に接続されている。一般便座３は便座ヒータ２６によって加熱され、便座表面を加熱・保温することができる。尚、一般便座３表面の温度は便座サーミスタ２７で一般便座３の内部の温度を検出し、便座サーミスタ２７の検出結果を基に制御部３１が便座ヒータ２６への通電をオン／オフすることで所定の値に制御するようになっている。
【００１９】
図７、図８は便座開口部が長径２５０ｍｍ、短径１５０ｍｍ、便座底面から着座面までの便座厚みが５０ｍｍの形状を持った、一般便座３の上に設置して使用する補助便座の１つである高齢者用便座９ａを示している。図９は高齢者用便座９ａを一般便座３の上に取り付けた状態の側面図である。高齢者用便座９ａは上記のように開口部が一般便座３（長径３００ｍｍ、短径２００ｍｍ）より小さい形状をしており、臀部の小さい高齢者が座っても臀部が便座内周に落ち込まないようになっている。また、便座厚みも５０ｍｍあるため、これを一般便座３上に設置すると着座面が一般便座３に座る時よりも５０ｍｍ上方に移動するため足腰の弱った高齢者にとって便座への立ち座りが楽に行うことが可能である。
【００２０】
図１０、図１１は便座開口部が長径２００ｍｍ、短径１００ｍｍ、便座底面から着座面までの便座厚みが２０ｍｍの形状を持った、一般便座３の上に設置して使用する補助便座の小児用便座９ｂを示している。また、図１２は小児用便座９ｂを一般便座３の上に取り付けた状態の側面図である。小児用便座９ｂは上記のように開口部が高齢者用便座９ａより更に小さい形状をしており、臀部の小さい子供でも臀部が便座内周に落ち込まないようになっている。
【００２１】
図９、１２に示すように、高齢者用便座９ａの内部には一般便座３の上に設置したときに本体部２と相対する場所に永久磁石（Ａ）７ａが埋め込まれている。また、小児用便座９ｂの内部にも小児用便座９ｂを一般便座３上に設置した際、本体部２と相対する場所に永久磁石（Ａ）７ａと永久磁石（Ｂ）７ｂが埋め込まれている。一方、本体部２は高齢者用便座９ａ又は小児用便座９ｂを一般便座３上に設置したときに永久磁石（Ａ）７ａ又は永久磁石（Ｂ）７ｂの略下方となる場所に便座の形状を識別する便座識別部６を備えている。便座識別部６は図１３に示すようにホールＩＣ（Ａ）１６とホールＩＣ（Ｂ）１７からなり、高齢者用便座９ａといった補助便座に備えられた前記永久磁石の磁界を検知して２つのポートからＨ／Ｌを出力している。そしてその出力は、図３に示すように制御部３１へ入力され、出力値によって制御部３１は一般便座３上設置されている補助便座の形状の違いと補助便座の設置の有無を識別することができるようになっている。例えば、図１４（ａ）ように、高齢者用便座９ａが一般便座３上に取り付けられた状態にあるとき、便座識別部６の上方近傍には永久磁石（Ａ）７ａが位置している為、便座識別部６は永久磁石（Ａ）７ａの磁界を検知して（ポート１、ポート２）＝（Ｌ，Ｈ）を出力する。また、図１４（ｂ）のように小児用便座９ｂが取り付けられた場合には永久磁石（Ａ）７ａと永久磁石（Ｂ）７ｂの磁界を検知することになり、便座識別部６は（ポート１、ポート２）＝（Ｌ，Ｌ）を出力する。一方、高齢者用便座９ａと小児用便座９ｂが共に設置されていない場合、便座識別部６は永久磁石の磁界を検知することがなく、（ポート１、ポート２）＝（Ｈ，Ｈ）を出力する。これら便座の種類（形状）に応じた便座識別部６の出力をまとめると、図１５のとおりとなる。
【００２２】
ところで、衛生洗浄装置１は一般モード、高齢者モード、小児モードの３種類の動作モードを備えており、いずれか一つの動作モードで動作するようになっている。ここで、動作モードの切換えは便座識別部６の出力値（つまり補助便座の形状の違いと設置の有無）に応じて制御部３１が自動的に行うようになっている（図１５参照）。因みに、どの動作モードに設定されているかは、図１６に示すように表示部３４にＬＥＤで表示され容易に認識可能である。
【００２３】
次に各動作モードにおける衛生洗浄装置１の動作について述べる。まず、着座センサ８の動作について説明する。着座センサ８は図１７の（ａ）〜（ｃ）に示すように着座センサ駆動モータ１５により制御部３１からの信号によって、その投光角度を変更できるようになっている。一般モードの場合、着座センサ８は図１７（ａ）に示すように本体部２の前方の水平方向に赤外光を投光し、一般便器３ａに着座した人体の有無を検知する。一方、高齢者モードになると、制御部３１は着座センサ駆動モータ１５を駆動させ、着座センサ８を水平面に対して仰角４５°で投光させる（図１７（ｂ））。更に小児モードの場合は水平面に対して仰角１５°で投光させる（図１７（ｃ））。前述のように、高齢者用便座９ａや小児用便座９ｂは便座厚みがある（高齢者用便座９ａで５０ｍｍ、小児用便座９ｂで２０ｍｍ）が、こうすることにより、一般便座上に高齢者用便座９ａや小児用便座９ｂが設置されたとしても、着座センサ８の検知領域がこれら補助便座と干渉することがなく、着座センサ８が補助便座を誤検知することを防止することができる。尚、小児モードの場合は水平面に対して１５°の角度で投光するため、体の小さい子供が座っても確実に座っている子供を検知することが可能である。また、高齢者用便座９ａ又は小児用便座９ｂが設置されていないとき、着座センサ８は水平方向に投光するため便蓋４を誤検知してしまうことはない。逆に高齢者用便座９ａ又は小児用便座９ｂが設置された場合、便蓋４を閉じようとしても高齢者用便座９ａ又は小児用便座９ｂと便蓋４が干渉するため便蓋４が閉じられることはない。従って、着座センサ８が水平面に対して上方へ投光しても便蓋４を誤検知して問題となるようなことはない。因みに、ここでは、着座センサ８の投光方向の変更は着座センサ駆動モータ１５を駆動させることによって行われる例を示したが、図２３のように着座センサ移動モータ２０を駆動させることによって着座センサ８の設置場所を変更し、着座センサ８の投光場所を変更させたり、図２４のように投光方向が異なる着座センサを複数設け、制御部３１が各動作モードに応じて投光する着座センサを選択して切替えるものであっても良い。
【００２４】
次に動作モード毎の洗浄機能の動作について説明する。一般モード時にリモコン操作部５１の洗浄スイッチ５２ａ〜５２ｃが押された場合、制御部３１はノズル駆動モータ１３を駆動し、一般便座９に座った平均的成人の局部に洗浄水が噴出されるようノズル１０を５４．５ｍｍ伸出させた後（図１８）、電磁弁１４を開いて洗浄水を水平面に対して仰角４５°で噴出し局部を洗浄する。ここで、洗浄水の噴出角度の調節は次のとおり行われる。ノズル１０の先端の噴出孔部３０には図１８に示すように洗浄水が大気中へ噴出される直前に通る噴出部４０が設けられている。噴出部４０には角度調節モータ４１が取り付けられており、角度調節モータ４１が回転することによって噴出部４０は水平面に対する仰角を変更することができる。従って、制御部３１が角度調節モータ４１の回転角度を制御することで、噴出部４０の仰角が制御され、洗浄水の噴出角度が調節されるようになっている。尚、噴出部４０は自在に曲げることが可能なチューブ４４を介してノズル１０内のノズル内通水路４３に接続されており、洗浄装置３２から供給されてきた洗浄水はノズル内通水路４３→チューブ４４→噴出部４０を通って噴出孔部３０から噴出される。次に小児モードの場合、洗浄スイッチ５２ａ〜５２ｃが押されると制御部３１は図１９に示すように小児用便座９ｂに座った子供の局部に洗浄水が噴出されるようノズル１０を４０．４ｍｍ伸出させ、水平面に対して仰角４５°で洗浄水が噴出されるよう角度調節モータ４１の回転角度を制御して洗浄水を噴出する。一般便座３に小児用便座９ｂを設置すると着座面が一般便座３に座ったときに比べて２０ｍｍ上昇するため、小児用便座９ｂの上に子供が着座した場合、子供の局部位置（つまり洗浄位置）も一般便座３に座ったときの位置に比べて２０ｍｍ上方にシフトする。しかし、上記のようにノズル１０の伸出長を５４．５ｍｍ→４０．４ｍｍへ調整することによって、小児用便座９ｂに座った場合でも、洗浄水が臀部や衣服或いは便座など局部以外の濡れて欲しくない部分を濡らすことなく、局部を正確に洗浄することができるため、子供にとっても快適な局部洗浄を提供することが可能となる。更に、高齢者モードの場合、洗浄スイッチ５２ａ〜５２ｃが押されると制御部３１は高齢者用便座９ａに座った高齢者の局部に洗浄水が噴出されるようノズル１０を４１．９ｍｍほど伸出させた後、水平面に対して仰角６０°で洗浄水が噴出されるよう角度調節モータ４１を制御し、洗浄水を噴出する。（図２０）。一般便座３に高齢者用便座９ａを設置した場合、前述の小児用便座９ｂを設置した場合と同様、着座面が一般便座３に座ったときに比べて５０ｍｍ上昇する。従って、高齢者用便座９ａに着座した場合、使用者の局部位置（つまり洗浄位置）も一般便座３に座ったときの位置に比べて５０ｍｍ上方に上昇する。しかし、上記のようにノズル１０の伸出長を５４．５ｍｍ→４１．９ｍｍへ、洗浄水の噴出角度を４５°→６０°へ変更することによって、高齢者用便座９ａに使用者が座った場合でも、洗浄水が臀部や衣服或いは便座など濡れて欲しくない部分を濡らすことなく、局部を正確に洗浄することができるので、高齢者とっても快適な局部洗浄を提供することが可能��なる。尚、ここで、洗浄水の噴出角度の調節は制御部３１が角度調節モータ４１の回転角度を制御し、噴出部４０の仰角を調節する方法を述べたが、図２１に示すように、あらかじめ水平面に対する角度が異なる噴出部を複数持ち（第一噴出部４０ａと第二噴出部４０ｂ）、制御部３１が流路切換手段４２を制御して洗浄水が通水される噴出部４０を選択することで洗浄水の噴出角度の調節を行うものであっても良い。
【００２５】
続いて動作モード毎の暖房便座機能の動作について説明する。一般モード時、前述のように制御部３１は便座サーミスタ２７と便座ヒータ２６を制御することによって、一般便座９ａの便座表面を３７℃に保っている。次に高齢者モード又は小児モードになると、制御部３１は便座ヒータ２６への通電を停止するようになっている。高齢者用便座９ａや小児用便座９ｂを一般便座３上に設置した場合、使用者が一般便座３に直接座られることはない。従って、このように高齢者用便座９ａや小児用便座９ｂが設置されている場合は実際には座られることのない一般便座３の便座ヒータ２６への通電を停止することで、便座ヒータ２６で消費される電力を抑えて節電することが可能となる。また、同時に一般便座３上に設置された高齢者用便座９ａや小児用便座９ｂに使われている材料に対する便座ヒータ２６から放出される熱の影響を低減することができ、高齢者用便座９ａや小児用便座９ｂの材料の変性や劣化を防止することも可能である。尚、ここでは高齢者モード又は小児モード時に便座ヒータ２６への通電を停止する例を述べたが、高齢者モード又は小児モード時は一般便座３の設定温度を一般モード時より低く設定するようにしても良い。こうすることで、衛生洗浄装置１が高齢者モード又は小児モードから一般モードへ移行して間もない時間に使用者が一般便座３に座っても便座が冷たくて不快に感じることを防止することが可能である。
【００２６】
因みに、上記は高齢者用便座９ａ又は小児用便座９ｂを前記便座上に設置した時に高齢者用便座９ａ或いは小児用便座９ｂが本体部と相対する場所に永久磁石（Ａ）７ａ、永久磁石（Ｂ）７ｂと便座識別部６を各々設置した場合で述べてきた。しかし、図２２に示すように、便座識別部６を便座３内に設け、永久磁石（Ａ）７ａ、永久磁石（Ｂ）７ｂを高齢者用便座９ａ又は小児用便座９ｂを前記便座上に設置した時に便座識別部６の略上方に位置するよう各便座内に備えたものであっても良い。この場合、便座識別部６の出力は、図２２に示すように便座コード２８を通じて本体部２内の制御部３１へ入力される。そして、その出力値に応じて制御部３１は一般モード、高齢者モード、小児モードの３種類の動作モードを切換えて制御するようになっている（図１５参照）。こうすることで構造上、高齢者用便座９ａ及び小児用便座９ｂを一般便座３上に設置したときに本体部２と相対する面が無くても、便座識別部６が永久磁石（Ａ）７ａ、永久磁石（Ｂ）７ｂの磁界を検知することができ、制御部３１は一般便座３上に設置された補助便座の形状の違いと補助便座の設置の有無を識別することが可能である。
【００２７】
尚、ここまでは説明を簡単にするため、衛生洗浄装置１の制御動作について３種類の動作モードを便座識別部６の出力値に応じて切替えるよう述べてきたが、複数の動作モードの切替ることに限定したものでなく、便座識別部６の出力値に応じて衛生洗浄装置１の各種動作を調整するものであっても良い。
【図面の簡単な説明】
【図１】本発明におけるトイレ装置の斜視図
【図２】本発明におけるリモコン操作部の外観図
【図３】本発明におけるトイレ装置の制御系統のブロック図
【図４】着座センサの検知領域を表した図
【図５】本発明における衛生洗浄装置の洗浄装置のブロック図
【図６】本発明における衛生洗浄装置の便座装置のブロック図
【図７】本発明における高齢者用便座の斜視図
【図８】本発明における高齢者用便座の上面図
【図９】高齢者用便座を一般便座上に設置した状態の側面図
【図１０】本発明における小児用便座の斜視図
【図１１】本発明における小児用便座の上面図
【図１２】小児用便座を一般便座上に設置した状態の側面図
【図１３】本発明における便座識別手段の概略回路図
【図１４】本発明における便座識別手段の設置状態を表す図
【図１５】便座の状態と識別手段の出力と衛生洗浄装置の動作モードの関係を表す表
【図１６】各動作モードにおける表示部の状態を表す図
【図１７】各動作モードにおける着座センサの投光状態を表す図
【図１８】一般モードにおけるノズルの伸出状態を表す図
【図１９】小児モードにおけるノズルの伸出状態を表す図
【図２０】高齢者モードにおけるノズルの伸出状態を表す図
【図２１】流露切替手段による洗浄水噴出角度の切替状態を表す図
【図２２】便座識別部を便座内に設置した状態を表す図
【図２３】各動作モードに応じて着座センサの設置場所を変更した状態を表す図
【図２４】各動作モードに応じて投光する複数の着座センサを切替える状態を表す図
【符号の説明】
１…衛生洗浄装置
２…衛生洗浄装置の本体部
３…一般便座
４…便蓋
５…便座３及び便蓋４の回動部
６…便座識別部
７ａ…永久磁石（Ａ）
７ｂ…永久磁石（Ｂ）
８…着座センサ
８ａ…第一の着座センサ
８ｂ…第二の着座センサ
８ｃ…第三の着座センサ
９ａ…一般便座上に設置する形態の高齢者用便座
９ｂ…一般便座と交換して形態の高齢者用便座
１０…ノズル
１１…流量調節手段
１２…温水サーミスタ
１３…ノズル駆動モータ
１４…電磁弁
１５…着座センサ駆動モータ
１６…ホールＩＣ（Ａ）
１７…ホールＩＣ（Ｂ）
１８…温水ヒータ
１９…熱交換器
２０…着座センサ移動モータ
２６…便座ヒータ
２７…便座サーミスタ
２８…便座コード
３０…噴出孔
３１…制御部
３２…洗浄装置
３３…受信部
３４…表示部
３９…本体スイッチ
４０…噴出部
４０ａ…第一噴出部
４０ｂ…第二噴出部
４１…角度調節モータ
４２…流路切替手段
４３…ノズル内通水路
４４…チューブ
５１…リモコン操作部
５２ａ〜５２ｃ…洗浄スイッチ
５２ｄ…温風スイッチ
５２ｅ…停止スイッチ
５２ｆ〜５２ｋ…調節スイッチ
５３…送信部
６０…便器
８０…着座センサの検知領域
８０ａ…第一の着座センサの検知領域
８０ｂ…第二の着座センサの検知領域
８０ｃ…第三の着座センサの検知領域
９０ａ…一般便座に平均的成人が座った時の局部位置
９０ｂ…高齢者用便座に高齢者が座った時の局部位置
９０ｃ…小児用便座に子供が座った時の局部位置
９１ａ…一般便座に座った成人の臀部
９１ｂ…高齢者用便座に座った高齢者の臀部
９１ｃ…小児用便座に座った子供の臀部
【図１】
2004113711.tif 000003
【図２】
2004113711.tif 000004
【図３】
2004113711.tif 000005
【図４】
2004113711.tif 000006
【図５】
2004113711.tif 000007
【図６】
2004113711.tif 000008
【図７】
2004113711.tif 000009
【図８】
2004113711.tif 000010
【図９】
2004113711.tif 000011
【図１０】
2004113711.tif 000012
【図１１】
2004113711.tif 000013
【図１２】
2004113711.tif 000014
【図１３】
2004113711.tif 000015
【図１４】
2004113711.tif 000016
【図１５】
2004113711.tif 000017
【図１６】
2004113711.tif 000018
【図１７】
2004113711.tif 000019
【図１８】
2004113711.tif 000020
【図１９】
2004113711.tif 000021
【図２０】
2004113711.tif 000022
【図２１】
2004113711.tif 000023
【図２２】
2004113711.tif 000024
【図２３】
2004113711.tif 000025
【図２４】
2004113711.tif 000026